(57)【要約】【課題】再生履歴に基づいて再生リストを作成するのにあたり、より高い精度でユーザの嗜好に応じた楽曲の選択が可能なオーディオ装置を提供すること。【解決手段】ＣＰＵ１０が、状況データに基づいて、楽曲の選択を行う楽曲選択処理と、この楽曲選択処理により選択された楽曲の１曲ごとに、最近の再生状態に基づいて評価を行う第１評価値と、過去の再生月日と現在の月日とに基づいて評価を行う第２評価値と、過去の再生時刻と現在の時刻とに基づいて評価を行う第３評価値と、に基づいて総合評価値を求める総合評価値算出処理と、この総合評価値算出処理により、得られた総合評価値に基づいて、再生リストの楽曲の順序を決定するリスト順決定処理と、を実行するようにした。【選択図】図１
2008269754.tif 000002
【特許請求の範囲】
【請求項１】
再生可能な楽曲データが保存された楽曲保存手段と、
この楽曲保存手段に保存された楽曲の再生を行う再生手段と、
この再生手段の作動を制御する再生制御手段と、
現在の状況に関する状況データを取得する状況取得手段と、
前記楽曲の再生時に前記状況取得手段により取得した状況データを、楽曲ごとに再生履歴として保存した再生履歴保存手段と、
前記再生手段による再生を指示可能な指示手段と、
を備え、
前記再生制御手段が、前記指示手段による再生指示に応じ、前記状況取得手段が取得する現在の状況データを読み込み、この現在の状況データと、前記再生履歴保存手段に保存された再生履歴の状況データと、の比較に基づいて、楽曲を選択して再生リストを作成する再生リスト生成処理を実行し、かつ、前記再生リストに基づいて前記再生手段により楽曲の再生を行う再生処理を実行するオーディオ装置であって、
前記状況取得手段に、月日時刻を計測する時計部が含まれ、
前記再生制御手段は、前記再生リスト生成処理において、
前記状況データに基づいて、楽曲の選択を行う楽曲選択処理と、
この楽曲選択処理により選択された楽曲の１曲ごとに、最近の再生状態に基づいて評価を行う第１評価値と、過去の再生月日と現在の月日とに基づいて評価を行う第２評価値と、過去の再生時刻と現在の時刻とに基づいて評価を行う第３評価値と、に基づいて総合評価値を求める総合評価値算出処理と、
この総合評価値算出処理により、得られた総合評価値に基づいて、再生リストの楽曲の順序を決定するリスト順決定処理と、
を実行することを特徴とするオーディオ装置。
【請求項２】
前記第１評価値は、現在の日にちを基準日とし、再生履歴の最新の再生日が基準日に近いほど大きく、基準日から離れるほど小さくなるよう設定された値であり、
前記第２評価値は、現在の月日を基準月日とし、再生履歴を１年前付近以前に遡り、過去の再生履歴の月日が基準月日に近いほど大きく、基準月日から離れるほど小さくなるよう設定された値であり、
前記第３評価値は、現在の時刻を基準時とし、再生履歴の再生時刻が、基準時に近いほど大きく、基準時から離れるほど小さくなるよう設定された値であり、
前記総合評価値は、第１評価値、第２評価値、第３評価値を加算して求められた値であることを特徴とする請求項１に記載のオーディオ装置。
【請求項３】
前記第１評価値は、前記再生履歴の再生日が、前記基準日からあらかじめ設定された設定日まで遡った範囲で可変である一方で、前記設定日よりも以前は、最低値に設定され、
前記第２評価値は、前記再生履歴の月日が、前記基準日を中心に、所定幅の期間で可変であり、この所定幅の期間外は、最低値に設定されていることを特徴とする請求項２に記載のオーディオ装置。
【請求項４】
前記第１評価値、第２評価値、第３評価値には、定数が設定されており、
これら定数を、ユーザが変更する定数変更手段を備えていることを特徴とする請求項１〜請求項３のいずれか１項に記載のオーディオ装置。
【請求項５】
前記楽曲選択処理が、天候に関する状況データと、走行に関する状況データと、の少なくとも一方が、現在と再生履歴とで一致したものを選択する処理であることを特徴とする請求項１〜請求項４のいずれか１項に記載のオーディオ装置。
【請求項６】
状況取得手段が取得する状況データと、再生履歴に保存された状況データとの比較に基づいて、楽曲保存手段に保存された楽曲の選択を行う楽曲選択ステップと、
この楽曲選択ステップにより選択された楽曲の１曲ごとに、最近の再生状態に基づいて評価を行う第１評価値と、過去の再生月日と現在の月日とに基づいて評価を行う第２評価値と、過去の再生時刻と現在の時刻とに基づいて評価を行う第３評価値と、に基づいて総合評価値を求める総合評価値算出ステップと、
この総合評価値算出ステップにより得られた総合評価値に基づいて、前記楽曲選択ステップで選択された楽曲の順序を決定して再生リストを作成するリスト順決定ステップと、
を有することを特徴とする再生リスト作成方法。
【発明の詳細な説明】
【技術分野】
【０００１】
本発明は、複数の楽曲を保存し、その再生履歴に基づいて再生リストを作成するオーディオ装置および再生リスト作成方法に関する。
【背景技術】
【０００２】
近年の車載オーディオとして、ハードディスクドライブやフラッシュメモリといった大容量の記憶媒体を有しており、ＣＤなどの音源の楽曲データを、圧縮手段（例えば、ＭＰ３、ＷＭＡ、ＡＡＣ、ＡＴＲＡＣ３などの手法）を用いてデータ圧縮し記憶媒体に保存することで、膨大な曲数の楽曲データが記憶できるものが知られている。
【０００３】
そこで、このような大容量の記憶媒体に記憶された楽曲データを再生するのにあたり、全曲を順番に再生するのではなく、運転コースや走行時間あるいはユーザの嗜好などに応じて楽曲データを選択した集合体である再生リストをあらかじめ設定しておき、この再生リストに従って楽曲データを再生するオーディオ装置が知られている。
【０００４】
また、再生リストの作成の手法も種々提案されており、その１つに、過去の再生履歴に基づいて自動再生するオーディオ装置も知られている（例えば、特許文献１参照）。
【０００５】
この従来のオーディオ装置は、楽曲の再生時に、例えば、季節、時間帯、位置などの状況データを再生履歴データとして記憶する記憶手段と、再生時の状況データを取得する状況取得手段と、再生時点の状況データと、過去の再生履歴データに示された状況とに基づいて、現在と同様の状況で再生回数の多い曲を選択して再生リストを作成する再生リスト生成手段と、を備えている。
【０００６】
したがって、この従来のオーディオ装置によれば、過去の再生事実に基づいて、状況に合わせてユーザの嗜好に合致する再生リストを作成し、これを再生することができる。具体例を示すと、例えば、夏に海をドライブしながら再生を行う場合、過去に夏の海のドライブでよく聴いた曲が自動再生されたり、また、冬のクリスマスの時期に再生を行う場合、過去にクリスマスの時期によく聴いた曲が自動再生されたりするというように、状況に応じ嗜好に合致した自動再生を行うことができる。
【特許文献１】特開２００５−２０２４５３号公報参照
【発明の開示】
【発明が解決しようとする課題】
【０００７】
しかしながら、上述の従来技術では、過去の再生時との類似性に基づいて楽曲の選択を行って再生リストを作成するため、逆に、最近気に入ってよく聴いている曲が選択されずに、古い楽曲ばかりが選択されるという不具合があった。
【０００８】
また、この問題を解決すべく、最近の再生頻度が高い楽曲を選択して再生リストを作成するようにした場合、上述のような過去の状況に応じて聴いた曲が選択されなくなり、上述のような、季節に応じて聴いていた曲を、１年後、２年後の同じ季節に聴きたいというユーザの嗜好に応じられなくなる、という問題が生じる。
【０００９】
本発明は、上述の問題点に着目してなされたもので、再生履歴に基づいて再生リストを作成するのにあたり、より高い精度でユーザの嗜好に応じた楽曲の選択が可能なオーディオ装置および再生リスト作成方法を提供することを目的としている。
【課題を解決するための手段】
【００１０】
上述の目的を達成するために本発明は、再生可能な楽曲データが保存された楽曲保存手段と、この楽曲保存手段に保存された楽曲の再生を行う再生手段と、この再生手段の作動を制御する再生制御手段と、現在の状況に関する状況データを取得する状況取得手段と、前記楽曲の再生時に前記状況取得手段により取得した状況データを、楽曲ごとに再生履歴として保存した再生履歴保存手段と、前記再生手段による再生を指示可能な指示手段と、を備え、
前記再生制御手段が、前記指示手段による再生指示に応じ、前記状況取得手段が取得する現在の状況データを読み込み、この現在の状況データと、前記再生履歴保存手段に保存された再生履歴の状況データと、の比較に基づいて、楽曲を選択して再生リストを作成する再生リスト生成処理を実行し、かつ、前記再生リストに基づいて前記再生手段により楽曲の再生を行う再生処理を実行するオーディオ装置であって、
前記状況取得手段に、月日時刻を計測する時計部が含まれ、
前記再生制御手段は、前記再生リスト生成処理において、前記状況データに基づいて、楽曲の選択を行う楽曲選択処理と、
この楽曲選択処理により選択された楽曲の１曲ごとに、最近の再生状態に基づいて評価を行う第１評価値と、過去の再生月日と現在の月日とに基づいて評価を行う第２評価値と、過去の再生時刻と現在の時刻とに基づいて評価を行う第３評価値と、に基づいて総合評価値を求める総合評価値算出処理と、
この総合評価値算出処理により、得られた総合評価値に基づいて、再生リストの楽曲の順序を決定するリスト順決定処理と、
を実行することを特徴とするオーディオ装置とした。
【００１１】
請求項２に記載の発明は、請求項１に記載のオーディオ装置において、前記第１評価値は、現在の日にちを基準日とし、再生履歴の最新の再生日が基準日に近いほど大きく、基準日から離れるほど小さくなるよう設定された値であり、前記第２評価値は、現在の月日を基準月日とし、再生履歴を１年前付近以前に遡り、過去の再生履歴の月日が基準月日に近いほど大きく、基準月日から離れるほど小さくなるよう設定された値であり、前記第３評価値は、現在の時刻を基準時とし、再生履歴の再生時刻が、基準時に近いほど大きく、基準時から離れるほど小さくなるよう設定された値であり、前記総合評価値は、第１評価値、第２評価値、第３評価値を加算して求められた値であることを特徴とするオーディオ装置とした。
【００１２】
請求項３に記載の発明は、請求項２に記載のオーディオ装置において、前記第１評価値は、前記再生履歴の再生日が、前記基準日からあらかじめ設定された設定日まで遡った範囲で可変である一方で、前記設定日よりも以前は、最低値に設定され、前記第２評価値は、前記再生履歴の月日が、前記基準日を中心に、所定幅の期間で可変であり、この所定幅の期間外は、最低値に設定されていることを特徴とするオーディオ装置とした。
【００１３】
請求項４に記載の発明は、請求項１〜請求項３のいずれか１項に記載のオーディオ装置において、前記第１評価値、第２評価値、第３評価値には、定数が設定されており、これら定数を、ユーザが変更する定数変更手段を備えていることを特徴とするオーディオ装置とした。
【００１４】
請求項５に記載の発明は、請求項１〜請求項４のいずれか１項に記載のオーディオ装置において、前記楽曲選択処理が、天候に関する状況データと、走行に関する状況データと、の少なくとも一方が、現在と再生履歴とで一致したものを選択する処理であることを特徴とするオーディオ装置とした。
【００１５】
請求項６に記載の発明は、状況取得手段が取得する状況データと、再生履歴に保存された状況データとの比較に基づいて、楽曲保存手段に保存された楽曲の選択を行う楽曲選択ステップと、この楽曲選択ステップにより選択された楽曲の１曲ごとに、最近の再生状態に基づいて評価を行う第１評価値と、過去の再生月日と現在の月日とに基づいて評価を行う第２評価値と、過去の再生時刻と現在の時刻とに基づいて評価を行う第３評価値と、に基づいて総合評価値を求める総合評価値算出ステップと、この総合評価値算出ステップにより得られた総合評価値に基づいて、前記楽曲選択ステップで選択された楽曲の順序を決定して再生リストを作成するリスト順決定ステップと、を有することを特徴とする再生リスト作成方法とした。
【発明の効果】
【００１６】
本発明のオーディオ装置では、再生制御手段は、再生リストを作成する再生リスト生成処理の際に、まず、楽曲選択処理により、状況データに基づいて楽曲の選択を行い、次に、リスト順決定処理により、再生リストの曲順を決定する。
この曲順を決定するリスト順決定処理では、楽曲選択処理により選択された楽曲の１曲ごとに、最近の再生状態に基づいて評価を行う第１評価値と、過去の再生月日と現在の月日とに基づいて評価を行う第２評価値と、過去の再生時刻と現在の時刻とに基づいて評価を行う第３評価値と、に基づいて総合評価値を求め、この総合評価値に基づいて、再生リストの楽曲の順序を決定する。
【００１７】
このため、ユーザの最近の楽曲再生に関する嗜好が第１評価値に反映される。同様に、ユーザの過去の季節などに応じた嗜好が第２評価値に反映される。さらに、ユーザの過去の時刻に応じた嗜好が第３評価値に反映される。
【００１８】
そして、再生リストの曲順を決定する総合評価値は、これら第１評価値、第２評価値、第３評価値に基づいて決定されるため、この曲順に、ユーザの、最近の嗜好と、過去の季節や時刻に応じた嗜好と、の全てを反映させることが可能となり、ユーザの嗜好に、より高い精度で対応した再生リストの作成が可能となる。
【００１９】
また、請求項２に記載の発明では、第１評価値を、再生履歴の最新の再生日が現在の日にち近いほど大きく、現在の日にちから離れるほど小さくなるように設定したため、最新の再生日が近い曲ほど、第１評価値が高くなるとともに、総合評価値が高くなり、再生リストの上位に並ぶ。
同様に、第２評価値を、１年前や２年前の過去の再生履歴が、現在の月日である基準月日と同日に近いものほど大きく、基準月日から離れるほど小さくなるよう設定したため、過去の同月日に再生した履歴を有する曲ほど、第２評価値が高くなるとともに、総合評価値が高くなり、再生リストの上位に並ぶ。
同様に、第３評価値を、再生履歴の再生時刻が、現在の時刻を基準時とし、基準時に近いほど大きく、基準時から離れるほど小さくなるよう設定したため、過去の同時刻の再生履歴を有する曲ほど、第３評価値が高くなるとともに、総合評価値が高くなり、再生リストの上位に並ぶ。
このように、請求項２に記載の発明では、再生リストの曲順に、ユーザの、最近の嗜好と、過去の季節や時刻に応じた嗜好と、の両方について、その嗜好の度合いを総合評価値に反映させることが可能となり、ユーザの嗜好に、いっそう高い精度で対応した再生リストの作成が可能となる。
【００２０】
請求項３に記載の発明では、第１評価値は、再生履歴の再生日が、基準日からあらかじめ設定された設定日まで遡った範囲で可変にし、それ以前は、最低値に固定し、同様に、第２評価値は、再生履歴の月日が、基準日を中心に、所定幅の期間で可変とし、この期間外は、最低値に固定するようにしたため、全ての範囲で可変にするのと比較して、演算が容易で、演算に要する時間を短縮させることが可能となる。
【００２１】
請求項４に記載の発明では、第１評価値、第２評価値、第３評価値を算出するのに用いる定数を、ユーザが変更する定数変更手段を設けたため、再生リストの曲順に、ユーザの、最近の嗜好を反映させる程度と、過去の季節に応じた嗜好を反映させる程度と、過去の時刻に応じた嗜好を反映させる程度を、任意に変更して、ユーザの嗜好に、さらに高い精度で対応した再生リストの作成が可能となる。
すなわち、最近聴いた曲を聴きたいときには、第１評価値の定数を高くすれば、最近聴いた曲の曲順が上位となって、これらの曲を優先的に聴くことができる。また、例えば、クリスマスシーズン、雪のシーズン、海のシーズンなどに、過去の同じ時期に聴いた曲を聴きたいときには、第２評価値の定数を高くすれば、これらの曲を優先的に聴くことができる。同様に、例えば、通勤時、深夜のドライブ時、などに、過去の同じ時間帯に聴いた曲を聴きたいときには、第３評価値の定数を高くすれば、これらの曲を優先的に聴くことができる。
【００２２】
また、請求項５に記載の発明では、現在と再生履歴とで状況データが一致する楽曲を選択する楽曲選択処理では、天候に関する状況データと、走行に関する状況データと、の少なくとも一方が、現在と再生履歴とで一致したものを選択する。
したがって、その時点の状況に応じた楽曲の範囲で再生リストが作成され、ユーザの嗜好を反映させることができる。
【００２３】
また、請求項６に記載の再生リスト作成方法では、楽曲選択ステップにより選択された楽曲の１曲ごとに、最近の再生状態に基づいて評価を行う第１評価値と、過去の再生月日と現在の月日とに基づいて評価を行う第２評価値と、過去の再生時刻と現在の時刻とに基づいて評価を行う第３評価値と、に基づいて総合評価値を求め、この総合評価値に基づいて、前記楽曲選択ステップで選択された楽曲の順序を決定して再生リストを作成するようにしたため、再生リストの曲順に、ユーザの、最近の嗜好と、過去の季節や時刻に応じた嗜好と、の全てを反映させることが可能となり、ユーザの嗜好に、より高い精度で対応した再生リストの作成が可能となる。
【発明を実施するための最良の形態】
【００２４】
以下、本発明のオーディオ装置の実施の形態を説明する。
この実施の形態のオーディオ装置は、再生可能な楽曲データが保存された楽曲保存手段（１５）と、この楽曲保存手段（１５）に保存された楽曲の再生を行う再生手段（６，７）と、この再生手段（６，７）の作動を制御する再生制御手段（１０）と、現在の状況に関する状況データを取得する状況取得手段（１，２，３，１６）と、前記楽曲の再生時に前記状況取得手段（１，２，３，１６）により取得した状況データを、楽曲ごとに再生履歴として保存した再生履歴保存手段（１５）と、前記再生手段（６，７）による再生を指示可能な指示手段（１２，１３）と、を備え、前記再生制御手段（１０）が、前記指示手段（１２，１３）による再生指示に応じ、前記状況取得手段（１，２，３，１６）が取得する現在の状況データを読み込み、この現在の状況データと、前記再生履歴保存手段（１５）に保存された再生履歴の状況データと、の比較に基づいて、楽曲を選択して再生リストを作成する再生リスト生成処理を実行し、かつ、前記再生リストに基づいて前記再生手段により楽曲の再生を行う再生処理を実行するオーディオ装置であって、前記状況取得手段に、月日時刻を計測する時計部（１７）が含まれ、前記再生制御手段（１０）は、前記再生リスト生成処理において、前記状況データに基づいて、楽曲の選択を行う楽曲選択処理と、この楽曲選択処理により選択された楽曲の１曲ごとに、最近の再生状態に基づいて評価を行う第１評価値と、過去の再生月日と現在の月日とに基づいて評価を行う第２評価値と、過去の再生時刻と現在の時刻とに基づいて評価を行う第３評価値と、に基づいて総合評価値を求める総合評価値算出処理と、この総合評価値算出処理により、得られた総合評価値に基づいて、再生リストの楽曲の順序を決定するリスト順決定処理と、を実行することを特徴とするオーディオ装置である。
【実施例１】
【００２５】
図１〜図３に基づいて本発明の最良の実施の形態として本発明のオーディオ装置を適用した実施例１のカーナビゲーション装置Ａについて説明する。
【００２６】
まず、実施例１のカーナビゲーション装置Ａの構成を説明する。
この実施例１のカーナビゲーション装置Ａは、いわゆるカーナビゲーション機能とオーディオ機能とを一体化したもので、カーナビゲーション機能に関する構成として、ＧＰＳ受信機１、ジャイロセンサ２、車速センサ３、ＶＩＣＳ受信機４、加速度センサ５を備えている。
また、オーディオ機能に関する構成として、アンプ６、スピーカ７、ＣＤ（Compact Discの略である）ドライブ８、メディアスロット９を備えている。
さらに、カーナビゲーション機能とオーディオ機能の共用の構成としてＣＰＵ（Central Processing Unit）１０、ユーザインタフェース１１、ディスプレイ装置１２、操作部１３、メモリ１４、ハードディスクドライブ１５を備えている。
【００２７】
ここで、カーナビゲーション機能の部分を簡単に説明すると、ＧＰＳ受信機１は、周知のＧＰＳ衛星からの電波信号を受信するもので、ＣＰＵ１０では、受信した電波の時間差により複数の衛星との相対的な距離差から地球上の位置を算出する処理を行う。
【００２８】
ジャイロセンサ２は、角速度を検出し、車速センサ３は、車両の走行速度を検出し、加速度センサ５は、車両の加速度を検出する。ＣＰＵ１０は、これらの入力に基づいて、自立航法処理を行い、また、上述のＧＰＳ情報を組み合わせて、自車位置を特定する。
【００２９】
次に、オーディオ機能の部分を簡単に説明すると、ＣＤドライブ８は、挿入されたＣＤ（図示省略）を駆動し、ＣＤに保存された楽曲データを再生することができる情報に変換する機能を有している。
【００３０】
メディアスロット９は、ＳＤメモリカードやメモリースティック、あるいはＵＳＢ（Universal Serial Bus）による接続が可能な携帯オーディオなどの外部記憶媒体（図示省略）をカーナビゲーション装置Ａに着脱する部分である。
【００３１】
また、ＣＰＵ１０は、上述のナビゲーション機能に関する制御の他に、ＣＤドライブ８で駆動されるＣＤや、メディアスロット９に差し込まれた外部記憶媒体（図示省略）が有する楽曲データを、アンプ６およびスピーカ７の駆動により再生させる再生制御を実行する。
【００３２】
なお、ユーザインタフェース１１は、ユーザとのインタフェースを果たす役割を持っており、本実施例１では、上述の自車位置やＶＩＣＳ受信機４で得られた情報を、ディスプレイ装置１２により表示したり、操作部１３の操作により生じた信号をＣＰＵ１０に伝達したりする。
また、操作部１３としては、図示を省略したボタンやスイッチが設けられているとともに、ディスプレイ装置１２に設けられたタッチパネル機能も含まれている。
このディスプレイ装置１２のタッチパネル機能としては、具体的には、再生ボタンや音量調節ボタンなどの一般的な操作ボタンが表示されるが、これらに加え、本実施例１では、後述する再生リストの表示が行われる。
【００３３】
ハードディスクドライブ１５は、情報の記録および読み出しを行う記憶装置であり、かつ、特許請求の範囲の楽曲保存手段に相当し、ユーザがＣＤドライブ８に差し込まれたＣＤあるいはメディアスロット９に差し込まれた外部記憶媒体に記録された楽曲データを圧縮、もしくは、データの移動という形で、保存可能に構成されている。
【００３４】
さらに、本実施例１では、状況取得手段として、外気温度センサ１６、時計（時計部）１７が設けられているとともに、図外のワイパ装置からワイパの作動状態を示すワイパ信号ｗｓがＣＰＵ１０に入力され、外気温度、年月日および時刻、ワイパ作動状態が状況データとして取得される。
なお、本実施例１では、カーナビゲーション機能の部分も状況取得手段として用いられており、ＧＰＳ機能により得られる位置情報および車速センサ３で得られる車速情報が状況データとして取得される。
【００３５】
次に、ハードディスクドライブ１５が備えているデータベースについて説明する。
ハードディスクドライブ１５には、楽曲データベース３１と再生履歴データベース３２が構築されている。
【００３６】
楽曲データベース３１は、ＣＤが有しているＴＯＣ（Table of contents）情報に関連付けられて、ＣＤに関する情報が格納されたいわゆるＣＤＤＢ（Compact Disc DataBase）と呼ばれるデータベースであって、具体的には、図２に示すように、楽曲の曲名、アーティスト名（演奏者）、演奏時間、ジャンルなどの情報が格納されている。
【００３７】
なお、ＴＯＣ情報は、録音したＣＤの最内周部分の情報書き込み領域に書き込まれた楽曲目次情報のことで、ＣＤの総曲数、時間などが記録されている。
【００３８】
再生履歴データベース３２には、ハードディスクドライブ１５に保存されている楽曲データの１曲１曲について、再生時の環境データ３３および時刻データ３４が関連付けられて保存されている。
【００３９】
この環境データ３３としては、天候データ３３ａと、走行データ３３ｂとの２種類のデータが含まれている。
天候データ３３ａは、楽曲の再生時の、天気と外気温が含まれている。
なお、天気は、晴れや雨などの天気区分であり、本実施例１では、無線データ通信手段を介した天気情報提供サービスから得られた天気情報、ならびに、ワイパの作動の有無によりワイパ作動時には、雨の情報を与え、また、ワイパ作動時に、外気温度センサ１６の検出値が０度以下の場合には、雪の情報を与える。
【００４０】
走行データ３３ｂには、走行速度ならびに走行位置が含まれている。なお、走行速度は、所定の幅を持たせて分類し、例えば、１０〜２０ｋｍ／ｈ程度の幅で分類したり、あるいは、所定の基準値により低速、中速、高速などの複数段階に分類したりする。また、走行位置も、特定の位置ではなく、市街地、郊外（これをさらに海・山などに分類してもよい）、高速道路などの複数の種類に分類する。
【００４１】
時刻データ３４は、その楽曲が再生された年、月日、時刻であって、上記天候データ３３ａおよび走行データ３３ｂは、この再生時刻に関連付けて構築されている。なお、これらのデータ３３，３４の１曲に対する最大記憶数に制限を与えてもよい。
以上説明した再生履歴データベース３２が構築されている部分が再生履歴保存手段に相当する。
【００４２】
次に、ＣＰＵ１０で実行される再生制御について説明する。
このＣＰＵ１０では、通常再生処理と自動再生処理とが実行される。
通常再生処理は、ユーザの操作に応じた再生を行うもので、操作部１３を通じて、曲名やアルバム名やアーティスト名やジャンル名などの選択に応じて、保存された楽曲データを再生する制御を実行する。
【００４３】
自動再生処理は、ハードディスクドライブ１５に保存された楽曲の再生履歴に基づき、現在の状況データに類似した再生履歴を持つ楽曲を複数選択する楽曲選択処理を実行し、さらに、この選択した楽曲の順序を決定するリスト順決定処理を実行して再生リストを作成し、この再生リストの順番で楽曲データを自動的に再生するというものである。
【００４４】
この自動再生処理の流れを、図３のフローチャートにより説明する。
なお、この自動再生処理は、ディスプレイ装置１２に表示された自動再生ボタンに触れることで実行される。
【００４５】
最初のステップＳ１では、現在の第１状況データおよび第２状況データの条件値を取得する。
第１状況データは、天候データ３３ａに対応したもので、天気ならびに外気温について数値化した条件値を求める。例えば、天気については、晴れが０、雨が１、雪が２というように天気に対応した数値を与える。また、外気温についても、マイナスは０、０℃〜１０℃は１、１０℃〜２０℃は２、それ以上は３というように、所定の温度範囲で数値化するもので、この温度幅は、この１０℃幅に限定されない。
したがって、再生履歴データベース３２の天候データ３３ａにあっても、上記の規則に従って数値化された状態で記憶されている。
【００４６】
第２状況データは、走行データに対応したもので、現在の走行速度ならびに走行位置を数値化する。この走行速度も、所定の速度の幅を持たせて数値化する。また、走行位置については、例えば、都市、郊外、山、海、高速道路などあらかじめ位置と数値が関連付けられている。
したがって、再生履歴データベース３２の走行データ３３ｂにあっても、上記の規則に従って数値化された状態で記憶されている。
【００４７】
次のステップＳ２では、再生履歴データベース３２に基づいて、現在の第１状況データと第２状況データとの少なくとも一方に一致する履歴（条件値）を備えた楽曲を抽出し、この抽出した楽曲である再生候補のリストである再生候補抽出リストを作成する。
このステップＳ２の抽出処理は、次のステップＳ３で、全ての再生履歴を検索したと判定されるまで実行される。
以上のステップＳ１〜Ｓ３の処理が、楽曲選択処理に相当する。
【００４８】
次のステップＳ４では、ステップＳ２の処理によって抽出された再生候補抽出リストの楽曲について、現在の時刻データに類似しているか否かを評価する値である第１評価値ａ、第２評価値ｂ、第３評価値ｃを算出する。
【００４９】
第１評価値ａは、最近の再生評価を表す値であり、本実施例１では、最新の再生日が過去３０日以内である楽曲に対して、現在の日にちを基準日として、最新の再生日が基準日に近いほど高い評価を与え、基準日から過去となるほど低い評価を与えるよう設定された値で、具体的には、第１評価値ａは、下記の式（１）により算出する。
ａ＝１−（現在日からの日数×Ｃａ）  ・・・（１）
なお、Ｃａは、定数であって、例えば、Ｃａ＝１／３０を用いる。
また、過去３０日よりも再生日が古い楽曲に対しては、第１評価値ａ＝０とする。
【００５０】
第２評価値ｂは、過去の同じ時期の再生評価を表す値であり、現在の月日を基準月日として、過去（１年前付近よりも以前）の同月日の前後７日間（計１５日間）において、過去の再生月日がこの範囲に含まれているものについて、その再生月日が基準月に近いほど高い評価を与え、基準月日から離れるほど低い評価を与えるよう設定された値で、具体的には、下記の式（２）により算出する。
ｂ＝１−（｜基準日からの日数｜×Ｃｂ）  ・・・（２）
なお、Ｃｂは、定数であって、例えば、Ｃｂ＝１／７を用いる。
また、現在の月日の前後７日に該当しない楽曲に対しては、第２評価値ｂ＝０とする。
【００５１】
第３評価値ｃは、現在の時刻と同じ時刻の再生評価を表す値であり、現在の時刻を基準時として、基準時の前後１２時間において、再生時刻が基準時に近いほど高い評価を与え、基準時から離れるほど低い評価を与えるように設定された値で、具体的には、下記の（３）式により算出する。
ｃ＝１−（｜現在の時刻との時間差｜×Ｃｃ）  ・・・（３）
なお、Ｃｃは、定数であって、例えば、Ｃｃ＝１／１２を用いる。
【００５２】
次のステップＳ５では、各評価値ａ，ｂ，ｃに基づいて、再生候補リストの楽曲について、下記の式（４）により総合評価値Ｓを求める。
Ｓ＝（ａ＋ｂ＋ｃ）／Ｃｓ  ・・・（４）
なお、Ｃｓは定数であり、例えば、Ｃｓ＝３である。
【００５３】
この総合評価値Ｓの算出は、ステップＳ６において、再生候補リストの全ての楽曲について、それぞれ総合評価値Ｓが算出されたと判定されるまで、行われる。
なお、本実施例１では、上述の各定数Ｃａ，Ｃｂ，Ｃｃを、ユーザがディスプレイ装置１２のタッチパネル機能を定数変更手段として用い、任意に変更可能としている。すなわち、上述の各定数Ｃａ，Ｃｂ，Ｃｃは、初期値として与えられたもので、これらの定数Ｃａ，Ｃｂ，Ｃｃを大きな値に変更することで、総合評価値Ｓに対する各評価値ａ，ｂ，ｃの重み付けを重くすることができる。
【００５４】
つまり、最近聴いた曲を優先して再生リストを作成したい場合には、定数Ｃａを、初期値よりも大きな値に変更すれば、最近聴いた曲の順位が上がることになる。同様に、例えば、クリスマスなど特定の日に、過去の同時期に聴いた曲を優先的に聴きたい場合には、定数Ｃｂを、初期値よりも大きな値に変更すれば、特定日に近い再生履歴の曲の順位が上がる。また、例えば、通勤時間帯によく聴く曲というような特定時刻に聴いた曲を優先的聴きたい場合には、定数Ｃｃを初期値よりも大きくすれば、これら特定時間帯の再生履歴を有する曲の曲順が上がる。
【００５５】
また、これら定数Ｃａ，Ｃｂ，Ｃｃを、より大きな値とすることで、上記の優先順位がさらに上がることになる。
以上のステップＳ４〜Ｓ６の処理が、総合評価値算出処理に相当する。
【００５６】
次のステップＳ７では、再生候補抽出リストには、同一の楽曲がリストアップされている可能性があるので、その整理を行うもので、同一の楽曲については、総合評価値Ｓが最も高い楽曲を残し、他のものは、削除する。こうして整理された楽曲リストが、再生リストとなる。
【００５７】
次のステップＳ８では、再生リストを、総合評価値Ｓを用いて、総合評価値Ｓが高い順に並べるソート処理を実行する。
以上のステップＳ７，Ｓ８の処理が、リスト順決定処理に相当する。
【００５８】
次のステップＳ９では、ソート処理により並べられた順番で楽曲の再生を行う。
なお、以上の流れの自動再生処理は、前述したディスプレイ装置１２に表示された自動再生ボタンに触れる操作を行うたびに実行されるもので、例えば、走行状況が変化した時点で、自動再生ボタンに触れると、その操作時の環境、すなわち、天候や走行状況や時刻に応じて、再生リストの作成が再度行われる。
【００５９】
例えば、長距離走行時において、市街地走行時に自動再生処理を実行し、その後、高速道路で郊外を走行するという環境変化があった場合、あるいは、天候が晴れから雨に変わった場合など、天候状況や走行状況が変化した後に、再度、自動再生ボタンに触れると、その時点の天候状況や走行状況に応じて、再生リストの作成が改めて行われ、この再生リストに沿って、自動再生が実行される。
【００６０】
以上説明したように、実施例１では、現在の天候状況および走行状況に一致する履歴を備えた楽曲を選択して、再生候補リストを作成した後、この再生候補リストに選択された楽曲について、１曲ごとに、最近の再生状態に基づいて評価を与える第１評価値ａと、過去の再生月日と現在の月日との類似性に基づいて評価を与える第２評価値ｂと、過去の再生時刻と現在の時刻との類似性に基づいて評価を与える第３評価値ｃと、を算出し、さらにこれらの評価値ａ，ｂ，ｃを加算して総合評価値Ｓを求め、この総合評価値Ｓに基づいて、再生リストの楽曲の順序を決定するようにした。
【００６１】
このため、再生リストの曲順には、ユーザの最近の嗜好と、ユーザの過去の季節などに応じた嗜好と、ユーザの過去の時刻に応じた嗜好と、のいずれもを再生リストに反映させることができる。したがって、ユーザの嗜好に、より高い精度で対応した再生リストの作成が可能となる。
【００６２】
しかも、第１評価値ａは、最近の３０日に範囲限定し、かつ、基準日に近いほど高い評価を与え、基準日から離れるほど低い評価を与えるようにしたため、ユーザの最近の嗜好を高い精度で反映させることができる。しかも、再生履歴が、基準日から３０日以上過去に遡るものは全て第１評価値ａを０とすることで、演算の簡略化を図り、演算に要する時間の短縮化を図ることができる。
【００６３】
同様に、第２評価値ｂは、基準月日の前後７日に呼応する期間に範囲限定し、基準月日に近いほど高い評価を与え、基準月日から離れるほど低い評価を与えるようにしたため、ユーザの過去の季節などに応じた嗜好を高い精度で反映させることができる。しかも、この限定した範囲外のものについては、全て第２評価値ｂを０とすることにより、演算の簡略化を図り、演算に要する時間の短縮化を図ることができる。
同様に、第３評価値ｃを、再生履歴の再生時刻が、基準時に近いほど高い評価を与え、基準時から離れるほど低い評価を与えるようにしたため、ユーザの時刻に対する嗜好を、高い精度で反映させることができる。
【００６４】
さらに、本実施例１では、第１評価値ａ、第２評価値ｂ、第３評価値ｃを算出するのに用いる定数Ｃａ，Ｃｂ，Ｃｃを、ユーザが任意に変更可能としたため、ユーザの嗜好に、さらに高い精度で対応した再生リストの作成が可能となる。
【００６５】
また、実施例１では、現在の状況データに類似した再生履歴を有する楽曲を選択する楽曲選択処理では、天候に関する状況データと、走行に関する状況データと、の少なくとも一方が、現在と再生履歴とで一致したものを選択するようにしたため、その時点の状況に応じた楽曲の範囲で再生リストが作成され、ユーザの嗜好を反映させることができるとともに、天候の状況データと走行の状況データとの両方に一致する楽曲を選択するのと比較して、より多くの楽曲を選択でき、ユーザの嗜好を反映させやすい。
【００６６】
以上、図面を参照して、本発明の実施の形態の実施例１を詳述してきたが、具体的な構成は、この実施例１に限らず、本発明の要旨を逸脱しない程度の設計的変更は、本発明に含まれる。
【００６７】
すなわち、実施例１では、オーディオ装置として、車載のカーナビゲーション装置に適用した例を示したが、これに限定されず、単体のオーディオ装置に適用してもよいし、また、車載のものに限らず、携帯式のオーディオ装置にも適用することができる。
【００６８】
また、実施例１では、保存手段としてハードディスクドライブ１５を示したが、これ以外の記憶媒体を用いることもできる。
【図面の簡単な説明】
【００６９】
【図１】本発明の実施の形態の実施例１のカーナビゲーション装置Ａの構成を示すブロック図である。
【図２】実施例１のカーナビゲーション装置Ａにおいて、楽曲保存手段としてのハードディスクドライブ１５における楽曲データベース３１および再生履歴データベース３２の概略を示す説明図である。
【図３】実施例１のカーナビゲーション装置Ａにおける自動再生処理における処理の流れを示すフローチャートである。
【符号の説明】
【００７０】
１     ＧＰＳ受信機（状況取得手段）
２     ジャイロセンサ（状況取得手段）
３     車速センサ（状況取得手段）
６     アンプ（再生手段）
７     スピーカ（再生手段）
１２   ディスプレイ装置（指示手段）
１５   ハードディスクドライブ（楽曲保存手段、再生履歴保存手段）
１６   外気温度センサ（状況取得手段）
３１   楽曲データベース
３２   再生履歴データベース
３３   環境データ
３３ａ 天候データ
３３ｂ 走行データ
３４   時刻データ
Ａ     カーナビゲーション装置
ａ     第１評価値
ｂ     第２評価値
ｃ     第３評価値
Ｃａ   定数
Ｃｂ   定数
Ｃｃ   定数
Ｓ     総合評価値
【図１】
2008269754.tif 000003
【図２】
2008269754.tif 000004
【図３】
2008269754.tif 000005